(57)【要約】【課題】グリップ力を維持できしかも剥離を防止できるスポーツシューズ用トウガード構造体を提供する。【解決手段】スポーツシューズ１のトウガード構造体６であって、甲被部２のつま先部に配置され、開口６０ａ，６０ｂを有するとともに、硬質素材から構成されたトウガード本体６０と、アウトソール５の先端から延びかつ甲被部２のつま先部の上においてトウガード本体６０で覆われる位置に配置されるとともに、トウガード本体６０の開口６０ａ，６０ｂから外側に露出する露出部位５０ａ，５０ｂを有し、グリップ性を有する素材から構成された巻上げ部５０とを設ける。【選択図】    図２
2004267388.tif 000002
【特許請求の範囲】
【請求項１】
スポーツシューズのトウガード構造体であって、
シューズの甲被部のつま先部に設けられ、少なくとも一つの開口を有するとともに、硬質素材から構成されたトウガード本体と、
シューズのアウトソール先端から延びかつ甲被部のつま先部の上において前記トウガード本体で覆われる位置に配置され、前記トウガード本体の前記開口から外側に露出する露出部位を有するとともに、グリップ性を有する素材から構成された巻上げ部と、
を備えたスポーツシューズのトウガード構造体。
【請求項２】
請求項１において、
前記トウガード本体および巻上げ部が、甲被部のつま先部の先端からつま先部の外周に沿って内甲側に延びる内甲側配設部分を有している、
ことを特徴とするスポーツシューズのトウガード構造体。
【請求項３】
請求項１または２において、
前記トウガード本体および巻上げ部が、甲被部のつま先部の先端からつま先部の外周に沿って外甲側に延びる外甲側配設部分を有している、
ことを特徴とするスポーツシューズのトウガード構造体。
【請求項４】
請求項１において、
前記巻上げ部の前記露出部位が、前記トウガード本体の外表面から外側に突出している、
ことを特徴とするスポーツシューズのトウガード構造体。
【請求項５】
請求項４において、
前記巻上げ部の前記露出部位の突出量が、０．５〜５ｍｍである、
ことを特徴とするスポーツシューズのトウガード構造体。
【請求項６】
請求項１ないし５のいずれかにおいて、
前記巻上げ部の外周縁部と前記トウガード本体の開口縁部とのオーバラップ量が少なくとも３ｍｍである、
ことを特徴とするスポーツシューズのトウガード構造体。
【請求項７】
請求項１ないし３のいずれかにおいて、
前記トウガード本体が、シューズの甲被部下縁部とミッドソール上面との間で挟持される帯状の張出部を有している、
ことを特徴とするスポーツシューズのトウガード構造体。
【発明の詳細な説明】
【０００１】
【発明の属する技術分野】
本発明は、バレーボールやバスケットボール、ハンドボール、テニス、バドミントン、卓球などの球技用のスポーツシューズに好適のトウガード構造体に関し、詳細には、グリップ性を維持しつつ剥離を防止するための構造の改良に関する。
【０００２】
【従来の技術およびその課題】
スポーツシューズのトウガードとして、たとえば特開２００２−３４６０８号公報に示すようなものが提案されている。このトウガードは、アウトソール爪先部の立ち上げ部上部の位置に低摩擦係数の補強部を接着または一体成形することにより構成されている。
【０００３】
特開２００２−３４６０８号公報（段落番号［００１５］および［００１６］参照）
【０００４】
このトウガードでは、比較的摩擦係数の高いアウトソール爪先部の立ち上げ部下部が接地している際には、足の蹴り出し力を接地面に確実に伝達させてグリップ力を維持でき、また摩擦係数が低い、アウトソール爪先部の立ち上げ部上部の補強部が接地している際には、接地面（地面や床面）上で足をスムーズに滑らすことができる。
【０００５】
しかしながら、この場合には、アウトソール爪先部の立ち上げ部上部の縁部が常時外側に露出しているので、この立ち上げ部上部の縁部がアウトソール爪先部の剥離の起点となる可能性がある。
【０００６】
また、実開平５−６５２０５４号公報に示すものでは、テニスシューズの爪先部の第１指骨から第２指骨に対応する位置において、軟質の爪先補強片に硬質の耐摩耗性ゴムを一体成形することにより、トウガードが構成されている。
【０００７】
実開平５−６５２０５４号公報（段落番号［０００４］参照）
【０００８】
この場合には、耐摩耗性ゴムによって、甲被部の爪先部の耐久性を向上させることは可能であるが、硬質の耐摩耗性ゴムが装着された位置でのグリップ性が低下する。
【０００９】
本発明は、このような従来の実情に鑑みてなされたもので、グリップ性を維持できしかも剥離を防止できるスポーツシューズのトウガード構造体を提供することを目的とする。
【００１０】
【課題を解決するための手段】
請求項１の発明に係るスポーツシューズのトウガード構造体は、シューズの甲被部のつま先部に設けられた、硬質素材からなるトウガード本体と、シューズのアウトソール先端から延びるとともに、甲被部のつま先部の上においてトウガード本体で覆われる位置に配置された、グリップ性を有する素材からなる巻上げ部とを備えている。トウガード本体は少なくとも一つの開口を有しており、巻上げ部は、トウガード本体の開口から外側に露出する露出部位を有している。
【００１１】
請求項１の発明によれば、甲被部のつま先部には、トウガード本体と、その開口から露出する露出部位を有する巻上げ部とから設けられている。そして、トウガード本体は硬質であるため、巻上げ部よりも滑りやすく、一方、巻上げ部は、グリップ性を有する素材から構成されているため、相対的にグリップ性が高い。
【００１２】
このため、運動時にトウガード構造体が接地している際には、トウガード本体により、接地面上でスムーズに足を滑らすことができ、耐久性を向上できるとともに、巻上げ部の露出部位により、接地面に対してグリップ力を発揮できるようになる。しかも、この場合には、シューズのアウトソール先端の巻上げ部が甲被部のつま先部上でトウガード本体により覆われているので、巻上げ部が甲被部のつま先部上から剥離するのを防止できる。
【００１３】
請求項２の発明では、トウガード本体および巻上げ部が、甲被部のつま先部の先端からつま先部の外周に沿って内甲側に延びる内甲側配設部分を有している。
【００１４】
この場合には、甲被部のつま先部の内甲側部分の使用頻度が高い、たとえばバドミントンのような競技に好適のトウガード構造体を提供できる。
【００１５】
請求項３の発明では、トウガード本体および巻上げ部が、甲被部のつま先部の先端からつま先部の外周に沿って外甲側に延びる外甲側配設部分を有している。
【００１６】
この場合において、甲被部のつま先部の内甲側部分にも内甲側配設部分を配設した場合には、甲被部のつま先部の内甲側および外甲側の双方において、グリップ性を維持しつつ剥離を防止できるとともに、耐久性を向上できる。
【００１７】
請求項４の発明においては、巻上げ部の露出部位がトウガード本体の外表面から外側に突出している。
【００１８】
この場合には、運動時において巻上げ部の露出部位が接地しやすくなったことにより、トウガード本体のみが接地することによる滑り過ぎの違和感を緩和でき、適度のグリップ感を維持できるようになる。
【００１９】
巻上げ部の露出部位の突出量は、請求項５の発明に記載されているように、０．５〜５ｍｍが好ましい。これは、突出量が０．５ｍｍより小さいと、露出部位が圧縮変形によって簡単にトウガード本体の開口内に沈み込んで、グリップ力が不足することになるからであり、その一方、突出量が５ｍｍを超えると、露出部位が圧縮変形しても常時接地するようになって、グリップ力が過大になることにより、運動を阻害する恐れがあるからである。
【００２０】
請求項６の発明においては、巻上げ部の外周縁部とトウガード本体の開口縁部とが少なくとも３ｍｍだけオーバラップしている。
【００２１】
これにより、運動時には、巻上げ部の外周縁部がトウガード本体の開口縁部から外側に抜け出るのを防止でき、巻上げ部が甲被部から剥離するのを防止できる。
【００２２】
請求項７の発明においては、トウガード本体が、シューズの甲被部下縁部とミッドソール上面との間で挟持される帯状の張出部を有している。
【００２３】
これにより、トウガード本体をシューズのつま先部に確実に取り付けることができるようになる。
【００２４】
【発明の実施の形態】
以下、本発明の実施態様を添付図面に基づいて説明する。
図１ないし図６は、本発明の一実施態様によるトウガード構造体を説明するための図であって、図１はトウガード構造体を採用したスポーツシューズの側面概略図、図２は図１のつま先部分拡大図、図３は図２のＩＩＩ  矢視図、図４は図３のＩＶ−ＩＶ  線断面図、図５はトウガード構造体の全体斜視図、図６はトウガード構造体の平面図である。なお、図示の便宜上、図２および図３においては、シューズの甲被部およびアウトソールが二点鎖線で示されており、図５および図６においては、甲被部が取り除かれた状態が示されている。また、各図において、同一符号は同一または相当部分を示している。
【００２５】
図１に示すように、スポーツシューズ１は、甲被部２と、その下部に配置されたミッドソール３と、ミッドソール３の下面に装着されたアウトソール５と、甲被部２のつま先部に設けられたトウガード構造体６とを備えている。
【００２６】
ミッドソール３は、シューズの全長にわたって配設されるとともに甲被部２の下部が固着される上部ミッドソール３０と、その下方に配置されるとともに上部ミッドソール３０の主に踵部に固着される下部ミッドソール３１とから構成されている。また、上下部ミッドソール３０，３１間には、波形状を有する波形プレート４が挟持されている。
【００２７】
図２および図３に示すように、アウトソール５は、甲被部２のつま先部の側まで延設されており、その先端には、略Ｔ字状の巻上げ部５０が形成されている。また、甲被部２のつま先部には、巻上げ部５０を覆うように、トウガード本体６０が設けられている。そして、これら巻上げ部５０およびトウガード本体６０により、トウガード構造体６が構成されている。
【００２８】
トウガード本体６０は、３つの開口６０ａ，６０ｂを有している。巻上げ部５０は、トウガード本体６０の各開口６０ａ，６０ｂから外側にそれぞれ露出する露出部位５０ａ，５０ｂを有している。
【００２９】
図４に示すように、巻上げ部５０の各露出部位５０ａ，５０ｂは、トウガード本体６０の外表面から若干突出している方が好ましく、その突出量δは、０．５〜５ｍｍが好ましい。また、巻上げ部５０の外周縁部と、トウガード本体６０の各開口６０ａ，６０ｂの縁部とのオーバラップ量ｋは、少なくとも３ｍｍはある方が好ましい。なお、図４において、参照符号３５は、上部ミッドソール３０の上面に設けられた中底を示しており、参照符号３６は、中底３５の上に装着された中敷を示している。
【００３０】
図５および図６に示すように、トウガード構造体６は、上部ミッドソール３０のつま先部の外周に沿って略Ｕ字状に配設されており、内甲側に配設された内甲側配設部６Ａと、外甲側に配設された外甲側配設部６Ｂとを有している。
【００３１】
内甲側配設部６Ａおよび外甲側配設部６Ｂにおいて、トウガード本体６０は、上部ミッドソール３０の上面に帯状に張り出す張出部６０ｃをそれぞれ有している。これらの張出部６０ｃは、シューズの組立時において、甲被部２の下縁部と上部ミッドソール３０の上面との挟持されるようになっている。
【００３２】
アウトソール５の巻上げ部５０は、たとえばラバーや熱可塑性エラストマーなどのグリップ性を有する素材から構成されている。一方、トウガード本体６０は、熱可塑性ポリウレタンやナイロンなどの熱可塑性樹脂を含む硬質素材から構成されている。
【００３３】
このように構成されたトウガード構造体６を有するシューズ１においては、トウガード本体６０が硬質であるため、巻上げ部５０よりも滑りやすく、一方、巻上げ部５０は、グリップ性を有する素材から構成されているため、トウガード本体６０よりもグリップ性が高い。
【００３４】
このため、運動時にトウガード構造体６が接地している際には、トウガード本体６０により、接地面上でスムーズに足を滑らすことができ、耐久性を向上できるとともに、巻上げ部５０の露出部位５０ａ，５０ｂにより、接地面に対してグリップ力を発揮できるようになる。
【００３５】
また、この場合には、トウガード本体６０および巻上げ部５０が、甲被部２のつま先部の先端からつま先部の外周に沿って内甲側および外甲側にそれぞれ延設されているので、甲被部２のつま先部の内甲側部分および外甲側部分の双方において、グリップ性を維持しつつ剥離を防止できるとともに、耐久性を向上できる。
【００３６】
さらに、この場合には、巻上げ部５０の各露出部位５０ａ，５０ｂがトウガード本体６０の外表面から外側に突出しており、運動時に巻上げ部５０の各露出部位５０ａ，５０ｂが接地しやすくなっているので、トウガード本体６０のみが接地することによる滑り過ぎの違和感を緩和でき、適度のグリップ感を維持できるようになる。
【００３７】
なお、巻上げ部５０の各露出部位５０ａ，５０ｂの突出量δを０．５〜５ｍｍにしたのでは、突出量δが０．５ｍｍより小さいと、各露出部位５０ａ，５０ｂが圧縮変形によって簡単にトウガード本体６０の各開口６０ａ，６０ｂ内に沈み込んで、グリップ力が不足することになるからであり、その一方、突出量δが５ｍｍを超えると、各露出部位５０ａ，５０ｂが圧縮変形しても常時接地するようになって、グリップ力が過大になることにより、運動を阻害する恐れがあるからである。
【００３８】
また、本実施態様によれば、巻上げ部５０が甲被部２のつま先部上でトウガード本体６０により覆われているので、巻上げ部５０が甲被部２のつま先部上から剥離するのを防止できる。しかも、この場合には、巻上げ部５０の外周縁部とトウガード本体６０の開口６０ａ，６０ｂの縁部とが少なくとも３ｍｍはオーバラップしているので、接地時に巻上げ部５０の外周縁部がトウガード本体６０の開口縁部から外側に簡単に抜け出るのを防止でき、これにより、巻上げ部５０が甲被部２から剥離するのをより確実に防止できる。
【００３９】
さらに、トウガード本体６０が、帯状の張出部６０ｃを介して、甲被部２の下縁部と上部ミッドソール３０の上面との間で挟持されているので、トウガード本体６０をシューズのつま先部に確実に取り付けることができ、トウガード本体６０が甲被部２から外れるのを確実に防止できる。また、トウガード本体６０が、滑りやすい硬質の素材から構成されていることにより、接地面から受ける抵抗力が小さく、トウガード本体６０の甲被部２からの剥離が生じにくくなっている。
【００４０】
なお、前記実施態様では、トウガード本体６０に３つの開口が形成されている例を示したが、トウガード本体６０の開口の数は、これに限定されるものではなく、少なくとも１つの開口が形成されていればよい。また、開口の形状も、前記実施態様に示したような矩形形状や三角形形状に限定されるものではない。
【００４１】
また、前記実施態様では、トウガード本体６０および巻上げ部５０が、甲被部２のつま先部の内甲側および外甲側の双方に配設された例を示したが、本発明の適用はこれに限定されず、甲被部２のつま先部の内甲側または外甲側のいずれか一方に配設するようにしてもよい。
【００４２】
たとえば、甲被部２のつま先部の内甲側にのみ内甲側配設部分を配設するようにした場合には、甲被部２のつま先部の内甲側部分の使用頻度が高い、たとえばバドミントンのような競技に好適のトウガード構造体を提供できる。
【００４３】
【発明の効果】
以上のように本発明によれば、硬質のトウガード本体と、グリップ性を有する素材からなり、トウガード本体の開口から露出する露出部位を有する巻上げ部とからトウガード構造体を構成するようにしたので、グリップ性を維持できしかも剥離を防止できる効果がある。
【図面の簡単な説明】
【図１】本発明の一実施態様によるトウガード構造体を採用したスポーツシューズの側面概略図である。
【図２】図１のシューズのつま先部分の拡大図である。
【図３】図２のＩＩＩ  矢視図である。
【図４】図３のＩＶ−ＩＶ  線断面図である。
【図５】トウガード構造体（図１）の全体斜視図である。
【図６】トウガード構造体（図１）の平面図である。
【符号の説明】
１：  スポーツシューズ
２：  甲被部
３：  ミッドソール
３０：  上部ミッドソール
３１：  下部ミッドソール
５：  アウトソール
５０：  巻上げ部
５０ａ，５０ｂ：  露出部位
６：  トウガード構造体
６Ａ：  内甲側配設部
６Ｂ：  外甲側配設部
６０：  トウガード本体
６０ａ，６０ｂ：  開口
６０ｃ：  張出部
δ：  突出量
ｋ：  オーバラップ量
【図１】
2004267388.tif 000003
【図２】
2004267388.tif 000004
【図３】
2004267388.tif 000005
【図４】
2004267388.tif 000006
【図５】
2004267388.tif 000007
【図６】
2004267388.tif 000008